(57)【要約】【課題】アプリケーションプログラムのタイトルが表示された画像を正確に取得し、アプリケーションプログラムの内容に即した画像をアプリケーションプログラム一覧に表示させることのできる情報処理端末を提供すること。【解決手段】操作入力を受け付ける入力手段と、アプリケーションプログラムを記憶する記憶手段と、前記記憶手段に記憶されたアプリケーションプログラムの一覧を表示する表示手段と、アプリケーションプログラムが起動されているときに、前記入力手段が特定の操作入力を受け付けた場合、前記表示手段に表示されているアプリケーションプログラムの画面を前記アプリケーションプログラムと対応付けて前記記憶手段に記憶させる制御手段と、を備え、前記表示手段が、前記入力手段がアプリケーションプログラムの一覧を表示する操作を受け付けたとき、前記アプリケーションプログラムの前記画面を表示する。【選択図】図１
2011022962.tif 000002
【特許請求の範囲】
【請求項１】
操作入力を受け付ける入力手段と、
アプリケーションプログラムを記憶する記憶手段と、
前記記憶手段に記憶されたアプリケーションプログラムの一覧を表示する表示手段と、
アプリケーションプログラムが起動されているときに、前記入力手段が特定の操作入力を受け付けた場合、前記表示手段に表示されているアプリケーションプログラムの画面を前記アプリケーションプログラムと対応付けて前記記憶手段に記憶させる制御手段と、を備え、
前記表示手段は、前記入力手段がアプリケーションプログラムの一覧を表示する操作を受け付けたとき、前記アプリケーションプログラムの前記画面を表示することを特徴とする情報処理端末。
【請求項２】
前記アプリケーションプログラムの画面を縮小する画像処理手段をさらに備え、
前記表示手段は、前記入力手段がアプリケーションプログラムの一覧を表示する操作を受け付けたとき、前記画像処理手段によって縮小された前記アプリケーションプログラムの画面を表示することを特徴とする請求項１記載の情報処理端末。
【請求項３】
起動しているアプリケーションプログラムが音声を出力しているか否かを判定する音声出力手段をさらに備え、
前記制御手段は、前記アプリケーションプログラムが音声を出力していると前記音声出力手段が判定したときに、前記入力手段が特定の操作入力を受け付けた場合、前記表示手段に表示されているアプリケーションプログラムの画面を前記記憶手段に記憶させ、前記アプリケーションプログラムが音声を出力していないと前記音声出力手段が判定したときに、前記入力手段が特定の操作入力を受け付けた場合、前記表示手段に表示されているアプリケーションプログラムの画面を前記記憶手段に記憶させないことを特徴とする請求項２記載の情報処理端末。
【請求項４】
起動しているアプリケーションプログラムが通信を行っているか否かを判定する通信手段をさらに備え、
前記制御手段は、前記アプリケーションプログラムが通信を行っていないと前記通信手段が判定したときに、前記入力手段が特定の操作入力を受け付けた場合、前記表示手段に表示されているアプリケーションプログラムの画面を前記記憶手段に記憶させ、前記アプリケーションプログラムが通信を行っていると前記通信手段が判定したときに、前記入力手段が特定の操作入力を受け付けた場合、前記表示手段に表示されているアプリケーションプログラムの画面を前記記憶手段に記憶させないことを特徴とする請求項２または３記載の情報処理端末。
【請求項５】
起動しているアプリケーションプログラムが表示している画面を解析し、同一の色が連続しているか否かを判定する画像解析手段をさらに備え、
前記制御手段は、前記アプリケーションプログラムが表示している画面に同一の色が連続していないと前記画像解析手段が判定したときに、前記入力手段が特定の操作入力を受け付けた場合、前記表示手段に表示されているアプリケーションプログラムの画面を前記記憶手段に記憶させ、前記アプリケーションプログラムが表示している画面に同一の色が連続していると前記画像解析手段が判定したときに、前記入力手段が特定の操作入力を受け付けた場合、前記表示手段に表示されているアプリケーションプログラムの画面を前記記憶手段に記憶させないことを特徴とする請求項２ないし請求項４のいずれか一項に記載の情報処理端末。
【請求項６】
起動しているアプリケーションプログラムがファイルアクセスを行っているか否かを判定するファイルアクセス判定手段をさらに備え、
前記制御手段は、前記アプリケーションプログラムがファイルアクセスを行っていないと前記ファイルアクセス判定手段が判定したときに、前記入力手段が特定の操作入力を受け付けた場合、前記表示手段に表示されているアプリケーションプログラムの画面を前記記憶手段に記憶させ、前記アプリケーションプログラムがファイルアクセスを行っていると前記ファイルアクセス判定手段が判定したときに、前記入力手段が特定の操作入力を受け付けた場合、前記表示手段に表示されているアプリケーションプログラムの画面を前記記憶手段に記憶させないことを特徴とする請求項２ないし請求項５のいずれか一項に記載の情報処理端末。
【発明の詳細な説明】
【技術分野】
【０００１】
本発明は、情報処理端末に関し、特にアプリケーションプログラムを実行する情報処理端末に関する。
【背景技術】
【０００２】
近年、情報処理端末では様々なアプリケーションプログラムが実行できるようになっている。例えば、携帯情報処理端末ではＪａｖａ（登録商標）やＢＲＥＷ（登録商標）などといったプログラムでアプリケーションを記述することができ、ゲームプログラムや実用アプリケーションプログラムを作成し、組み込んで実行することができる。
【０００３】
また、このような情報処理端末において、アプリケーションプログラムの一覧を表示するとき、当該アプリケーションプログラムの名前等とともに、アプリケーションプログラムに対応して記憶されたアイコン画像を表示することによって、アプリケーションプログラムを実行する前に、どのような内容の機能であるのかをユーザに分かりやすく提示することができる。
【０００４】
図９は、従来の情報処理端末におけるアプリケーションプログラム一覧画面を示す図である。
【０００５】
ここで、アプリケーション３には、当該アプリケーションプログラムを作成するときに作成者が意図して作成したアイコン画像が予め組み込まれており、情報処理端末はアプリケーション３をインストールするときにアイコン画像を取得することで、アプリケーションプログラム一覧画面に、アプリケーションプログラムが用意したアイコン画像を表示している。
【０００６】
一方、アプリケーション１、２、４には、当該アプリケーションプログラムを作成するときに作成者がアイコン画像を組み込まれておらず、アプリケーションプログラム一覧画面に、情報処理端末で予め用意してあるデフォルトアイコンを表示している。
【０００７】
しかしながら、デフォルトアイコンはアプリケーションプログラムとは関係がなく、どのような内容のアプリケーションプログラムであるのか、ユーザは当該デフォルトアイコンを見ただけでは把握することができないといった課題があった。
【０００８】
そこで、上記課題を解決するために、特許文献１には、例えば、動画データのタイトル画像を文字認識によって取得して縮小し、一覧表示することにより、動画データの内容が分かりやすくすることができる技術が記載されている。
【先行技術文献】
【特許文献】
【０００９】
【特許文献１】特開２００６−１４０６０３号公報
【発明の概要】
【発明が解決しようとする課題】
【００１０】
しかしながら、アプリケーションプログラムを起動したときに表示されるタイトル文字（タイトル画像）は、アプリケーションプログラムの雰囲気を前面に押し出した絵としてデザインされたものが多い。
【００１１】
したがって、特許文献１に記載された技術では、タイトル画像のデザインによっては文字認識することができず、アプリケーションプログラムのタイトル画像の取得に失敗するおそれがあり、その場合、ユーザが動画データの内容を一覧表示から一目で判断することができないといった課題があった。
【００１２】
本発明は、上記従来の課題に鑑みてなされたものであり、その目的は、アプリケーションプログラムのタイトルが表示された画像を正確に取得し、アプリケーションプログラムの内容に即した画像をアプリケーションプログラム一覧に表示させることのできる情報処理端末を提供することにある。
【課題を解決するための手段】
【００１３】
本発明の情報処理端末は、操作入力を受け付ける入力手段と、アプリケーションプログラムを記憶する記憶手段と、前記記憶手段に記憶されたアプリケーションプログラムの一覧を表示する表示手段と、アプリケーションプログラムが起動されているときに、前記入力手段が特定の操作入力を受け付けた場合、前記表示手段に表示されているアプリケーションプログラムの画面を前記アプリケーションプログラムと対応付けて前記記憶手段に記憶させる制御手段と、を備え、前記表示手段が、前記入力手段がアプリケーションプログラムの一覧を表示する操作を受け付けたとき、前記アプリケーションプログラムの前記画面を表示する構成を有する。
【００１４】
この構成により、アプリケーションプログラム起動中の操作入力を契機に表示されている画面を取得、保存し、アプリケーションプログラムの内容に即した画面としてアプリケーションプログラム一覧で表示することができる。
【００１５】
また、本発明の情報処理端末は、前記アプリケーションプログラムの画面を縮小する画像処理手段をさらに備え、前記表示手段が、前記入力手段がアプリケーションプログラムの一覧を表示する操作を受け付けたとき、前記画像処理手段によって縮小された前記アプリケーションプログラムの画面を表示する構成を有する。
【００１６】
この構成により、アプリケーションプログラム一覧で表示する画像を任意のサイズに調整することが出来る。
【００１７】
また、本発明の情報処理端末は、起動しているアプリケーションプログラムが音声を出力しているか否かを判定する音声出力手段をさらに備え、前記制御手段が、前記アプリケーションプログラムが音声を出力していると前記音声出力手段が判定したときに、前記入力手段が特定の操作入力を受け付けた場合、前記表示手段に表示されているアプリケーションプログラムの画面を前記記憶手段に記憶させ、前記アプリケーションプログラムが音声を出力していないと前記音声出力手段が判定したときに、前記入力手段が特定の操作入力を受け付けた場合、前記表示手段に表示されているアプリケーションプログラムの画面を前記記憶手段に記憶させない構成を有する。
【００１８】
この構成により、取得する画像がそのアプリケーションプログラムの内容を最も端的に示したタイトル画面である確率を高くすることができる。
【００１９】
また、本発明の情報処理端末は、起動しているアプリケーションプログラムが通信を行っているか否かを判定する通信手段をさらに備え、前記制御手段が、前記アプリケーションプログラムが通信を行っていないと前記通信手段が判定したときに、前記入力手段が特定の操作入力を受け付けた場合、前記表示手段に表示されているアプリケーションプログラムの画面を前記記憶手段に記憶させ、前記アプリケーションプログラムが通信を行っていると前記通信手段が判定したときに、前記入力手段が特定の操作入力を受け付けた場合、前記表示手段に表示されているアプリケーションプログラムの画面を前記記憶手段に記憶させない構成を有する。
【００２０】
この構成により、取得する画像がそのアプリケーションプログラムの内容を最も端的に示したタイトル画面である確率を高くすることができる。
【００２１】
また、本発明の情報処理端末は、起動しているアプリケーションプログラムが表示している画面を解析し、同一の色が連続しているか否かを判定する画像解析手段をさらに備え、前記制御手段が、前記アプリケーションプログラムが表示している画面に同一の色が連続していないと前記画像解析手段が判定したときに、前記入力手段が特定の操作入力を受け付けた場合、前記表示手段に表示されているアプリケーションプログラムの画面を前記記憶手段に記憶させ、前記アプリケーションプログラムが表示している画面に同一の色が連続していると前記画像解析手段が判定したときに、前記入力手段が特定の操作入力を受け付けた場合、前記表示手段に表示されているアプリケーションプログラムの画面を前記記憶手段に記憶させない構成を有する。
【００２２】
この構成により、取得する画像がそのアプリケーションプログラムの内容を最も端的に示したタイトル画面である確率を高くすることができる。
【００２３】
また、本発明の情報処理端末は、起動しているアプリケーションプログラムがファイルアクセスを行っているか否かを判定するファイルアクセス判定手段をさらに備え、前記制御手段が、前記アプリケーションプログラムがファイルアクセスを行っていないと前記ファイルアクセス判定手段が判定したときに、前記入力手段が特定の操作入力を受け付けた場合、前記表示手段に表示されているアプリケーションプログラムの画面を前記記憶手段に記憶させ、前記アプリケーションプログラムがファイルアクセスを行っていると前記ファイルアクセス判定手段が判定したときに、前記入力手段が特定の操作入力を受け付けた場合、前記表示手段に表示されているアプリケーションプログラムの画面を前記記憶手段に記憶させない構成を有する。
【００２４】
この構成により、取得する画像がそのアプリケーションプログラムの内容を最も端的に示したタイトル画面である確率を高くすることができる。
【発明の効果】
【００２５】
本発明によれば、アプリケーションプログラムのタイトルが表示された画像を正確に取得し、アプリケーションプログラムの内容に即した画像をアプリケーションプログラム一覧に表示させることができる。
【図面の簡単な説明】
【００２６】
【図１】本発明の実施の形態１における情報処理端末の概略構成を示すブロック図
【図２】本発明の実施の形態１における情報処理端末においてアプリケーションプログラムのタイトルが表示された画像を取得するときの動作を説明するフローチャート
【図３】本発明の実施の形態１における情報処理端末の処理の流れと対応する画面を示す図
【図４】本発明の実施の形態１における情報処理端末において記憶手段に保存されたデータテーブルを示す図
【図５】本発明の実施の形態１における情報処理端末においてアプリケーションプログラムを一覧表示するときの動作を説明するフローチャート
【図６】本発明の実施の形態１における情報処理端末１のアプリケーションプログラム一覧画面の一例を示す図
【図７】本発明の実施の形態２における情報処理端末の概略構成を示すブロック図
【図８】本発明の実施の形態２における情報処理端末においてアプリケーションプログラムのタイトルが表示された画像を取得するときの動作を説明するフローチャート
【図９】従来の情報処理端末のアプリケーションプログラム一覧の一例を示す図
【発明を実施するための形態】
【００２７】
以下、本発明の実施の形態について、図面を参照しながら説明する。
（実施の形態１）
図１は、本発明の実施の形態１における情報処理端末の概略構成を示すブロック図である。
【００２８】
図１に示すように、本発明の実施の形態１における情報処理端末１は、入力手段２、制御手段３、画像処理手段４、記憶手段５、表示制御手段６、表示手段７を備えている。
【００２９】
入力手段２は、例えば、キー、タッチパネル等の各種入力デバイスであり、制御手段３に入力情報を伝える。
【００３０】
制御手段３は、入力手段２からの入力情報を受け、表示制御手段６で管理しているアプリケーションプログラムの画面バッファを取得する画面キャプチャ要求を画像処理手段4へ伝える。また、制御手段３は、画像処理手段４で処理した画面キャプチャ画像を記憶手段５に出力する。また、制御手段３は、入力手段２を介してアプリケーションプログラム一覧画面の表示が要求されたときに、記憶手段５に記憶された画面キャプチャ画像を読出し、表示制御手段６に出力する。
【００３１】
画像処理手段４は、制御手段３から通知された画面キャプチャ要求を受け、表示制御手段６から現在表示している画面データを取得し、その画像データを縮小する。
【００３２】
記憶手段５は、例えば、メモリー、ハードディスク等の各種記憶デバイスであり、アプリケーションプログラムと、画像処理手段４によって作成された画像データとを対応付けて記憶する。
【００３３】
表示制御手段６は、アプリケーションプログラムの実行画面バッファを有し、表示手段７へ実行画面バッファを出力することで表示を行う。また、表示制御手段６は、制御手段３から出力された画面キャプチャ画像を用いて、アプリケーションプログラム一覧画面を作成し、表示手段７に表示させる。
【００３４】
表示手段７は、例えば、ＬＣＤ（Ｌｉｑｕｉｄ  Ｃｒｙｓｔａｌ  Ｄｉｓｐｌａｙ）等の各種表示デバイスであり、表示制御手段６の使用時における各種表示を行う。
【００３５】
図２は、本発明の実施の形態１における情報処理端末において、アプリケーションプログラムのタイトルが表示された画像を取得するときの動作を説明するフローチャートである。
【００３６】
まず、入力手段２は、図９に示すようなアプリケーションプログラム一覧画面において、ユーザによるアプリケーションプログラムの選択、決定に対応するキーの入力を受け付ける（ステップＳ２０１）。
【００３７】
次に、入力手段２は、制御手段３にキー入力を通知し、制御手段３はキー入力に基づいて対応するアプリケーションプログラムを起動する（ステップＳ２０２）。
【００３８】
ここで、制御手段３は、記憶手段５にアプリケーションプログラム一覧で使用する画像が保存されているかどうかを判定する。画像が保存されていない場合は、従来と同様、図９のように表示される（ステップＳ２０３、Ｎｏ）。
【００３９】
上記判定にて、画像が保存されている場合（ステップＳ２０３、Ｙｅｓ）、入力手段２は、キー入力があったかどうかを判定する（ステップＳ２０４）。
【００４０】
ここで、入力手段２は、キー入力があった場合（ステップＳ２０４、Ｙｅｓ）、入力情報を制御手段３に通知する。
【００４１】
一方、入力手段２は、キー入力がない場合（ステップＳ２０４、Ｎｏ）、再度、キー入力があったかどうかを判定する。
【００４２】
次に、制御手段３は、キー入力を取得したことを契機として（ステップＳ２０４、Ｙｅｓ）、画像処理手段４に画面キャプチャ要求を伝える（ステップＳ２０５）。
【００４３】
次に、画像処理手段４は、前述の要求を受け、表示制御手段６からアプリケーションプログラムの現在表示中の画面を取得し（ステップＳ２０６）、取得した画面をアイコン画像に変換する（ステップＳ２０７）。
【００４４】
次に、制御手段３は画像処理手段４が作成したアイコン画像を記憶手段５に記憶する（ステップＳ２０８）。
【００４５】
図３は、本発明の実施の形態１における情報処理端末において、アプリケーションプログラムのタイトルが表示された画像を取得するときの動作イメージを示す図である。
【００４６】
図２のフローを実施する前は、情報処理端末があらかじめ内蔵しているデフォルトアイコン３０１がアイコン画像としてアプリケーション一覧画面で使用される（図９、９０１）。
【００４７】
アプリケーションのタイトル画面３０２は、アプリケーションプログラム一覧画面からアプリケーションプログラムを選択、起動すると表示される。タイトル画面は、文字、画像等で当該アプリケーションの名前が表示され、アプリケーションの本機能（例えばゲームやツール等）を開始する操作（例えば、キー入力）を受け付ける状態となるものが一般的である。
【００４８】
次に、アプリケーションのタイトル画面３０２が表示手段７に表示されているときに、入力手段２により操作を受け付けると、画像処理手段４は、タイトル画面３０２を縮小し、アイコン画像３０３を作成する。
【００４９】
なお、本実施の形態では、アイコン画像３０２を作成する契機としてキー入力を例に説明したが、これに限るものではなく、タッチパッド、タッチパネルにおける入力であってもよい。
【００５０】
図４は、本発明の実施の形態１における情報処理端末の記憶手段５に記憶されたデータテーブルを示す図である。
【００５１】
データテーブル４０１は、図２のフロー実行前のデータテーブルであり、アプリケーション毎に名前およびアイコン画像が対応づけて記憶されている。
【００５２】
アプリケーション１、２、４は、アイコン画像が生成されていないため、アイコン画像なしと記憶されている。
【００５３】
アプリケーション３は、アイコン画像がアプリケーションプログラムの中に予め用意されている。
【００５４】
データテーブル４０２は、図２のフロー実行後のデータテーブルである、アプリケーション毎に名前およびアイコン画像が対応づけて記憶されている。
【００５５】
アプリケーション１、２、４は、アイコン画像が図２のフロー実行によって生成されたため、アイコン画像生成と記憶されている。
【００５６】
アプリケーション３は、アイコン画像がアプリケーションプログラムの中に予め用意されているため、図２のフロー実行後もアイコン画像は変化しない。
【００５７】
図５は、本発明の実施の形態１における情報処理端末において、アプリケーションプログラムを一覧表示するときの動作を説明するフローチャートである。
【００５８】
まず、制御手段３は、入力手段２からキー入力を受け、アイコン画像が記憶手段５に保存されているかを確認する（ステップＳ５０１）。具体的には、記憶手段５は、図４のデータテーブル４０１のようなデータテーブルを保持しており、アイコン画像が記憶されている場合は、データテーブル４０２のように、アイコン画像が生成されたことが判断できるようになっている。
【００５９】
ここで、制御手段３は、記憶手段５に画像処理手段４が生成した画像データが保存されていなければ（ステップＳ５０２、Ｎｏ）、デフォルトアイコン、もしくはアプリケーションのアイコン画像を取得し（ステップＳ５０４）、アプリケーションプログラム一覧画面を作成する（ステップＳ５０５）。
【００６０】
一方、制御手段３は、記憶手段５に画像処理手段４が生成した画像データが保存されていれば（ステップＳ５０２、Ｙｅｓ）、当該アイコン画像を取得する（ステップＳ５０３）。
【００６１】
次に、表示制御手段６は、制御手段３によって取得された画像データを元に、アプリケーションプログラム一覧画面を作成する（ステップＳ５０５）。
【００６２】
次に、表示手段７は、表示制御手段６によって作成されたアプリケーションプログラム一覧画面を表示する（ステップＳ５０６）。
【００６３】
図６は、本発明の実施の形態１における情報処理端末１の記憶手段５にデータテーブル４０２が記憶されているときのアプリケーションプログラム一覧画面の一例を示す図である。
【００６４】
図５の処理の結果、アプリケーション１、２、４については、デフォルトアイコンがそれぞれのアプリケーションプログラムのタイトル画面が縮小されたアイコンに置き換わり表示される。また、アプリケーション３は自身が用意していたアイコンを表示している。
【００６５】
このように、本実施の形態１によれば、アプリケーションプログラムのタイトルが表示された画像を正確に取得し、アプリケーションプログラムの内容に即した画像をアプリケーションプログラム一覧に表示させることで、デフォルトアイコンでは分かりにくかった各アプリケーションプログラムの内容を分かりやすくすることができる。
（実施の形態２）
一般的に、アプリケーションプログラムのタイトル画面に至る処理、またはタイトル画面表示中における処理として、次のようなものがある。
【００６６】
アプリケーションプログラムのタイトル画面に至る処理としては、アプリケーションプログラムに必要な画像データをインターネットなどから取得する通信処理や、取得した画像データをファイルとして情報処理端末１に保存したり、読み出したりするファイルアクセス処理や、通信やファイルアクセスを行っている間、ローディング画面として黒や白などの単純な色で画面を埋め、ロード中などと文字を表示するローディング画面表示処理などが挙げられる。
【００６７】
また、タイトル画面表示中における処理としては、音声再生処理などが挙げられる。
【００６８】
そこで、本発明の実施の形態２は、既に説明した本発明の実施の形態１における情報処理端末の構成に、新たに音声出力手段７０１、通信手段７０２、画面解析手段７０３、ファイルアクセス判定手段７０４を備えて、タイトルが表示された画面の画像取得の精度を高めた点に特徴がある。
【００６９】
図７は、本発明の実施の形態２における情報処理端末の概略構成を示すブロック図である。図1と重複したブロックは同一の符号を付して省略する。
【００７０】
音声出力手段７０１は、例えば、スピーカやイヤホン出力を有し、アプリケーションプログラムから渡された音声データを出力することができる。また、現在の音声出力状態を保持している。
【００７１】
通信手段７０２は、例えば、インターネットを通じてサーバにアクセスすることができ、通信結果や通信状態を保持することができる。
【００７２】
画面解析手段７０３は、画像データを渡すと、当該画像データの特徴を調べることができる。例えば、黒い部分が画像全体の何％を占めているか、といった情報を算出することができる。
【００７３】
ファイルアクセス判定手段７０４は、記憶手段５がファイルへのアクセスを行っているか否かを判定して結果を返す。
【００７４】
図８は、本発明の実施の形態２における情報処理端末において、アプリケーションプログラムのタイトルが表示された画像を取得するときの動作を説明するフローチャートである。なお、アプリケーションプログラム起動から画面キャプチャ要求の契機であるキー入力の処理であるステップＳ８０１〜Ｓ８０５は、図２のステップＳ２０１〜Ｓ２０５と同様であるため省略する。また、アプリケーションプログラムが現在表示している画像を取得して保存する処理であるステップＳ８１０〜Ｓ８１２は、図２のステップＳ２０６〜Ｓ２０８と同様であるため、省略する。
【００７５】
したがって、以下にステップＳ８０５〜Ｓ８１０までのフローを説明する。
【００７６】
まず、制御手段３は、キー入力を取得した（ステップＳ８０５）ことを契機として、音声出力手段７０１に音楽再生を行っているか確認する（ステップＳ８０６）。
【００７７】
次に、音声出力手段７０１が音楽再生を行っている場合（ステップＳ８０６、Ｙｅｓ）、制御手段３は通信手段７０２に通信を行っているか確認する（ステップＳ８０７）。
【００７８】
一方、音声出力手段７０１が音楽再生を行っていない場合（ステップＳ８０６、Ｎｏ）、何もせず処理を終了する。
【００７９】
次に、通信手段７０２が通信を行っている場合（ステップＳ８０７、Ｙｅｓ）、制御手段３は画面解析手段７０３に画面に同一の色が連続していないか確認する（ステップＳ８０８）。具体的には、取得した画像データを1ピクセルずつ拾い上げ、同じ色の画素であれば一時領域に保存していく。異なった色の画素が出てきた時点で一時領域をリセットする。一時領域にある一定以上の画素が蓄積された場合、同一の色が連続していると見なす。一時領域は制御手段３を介して記憶手段５に作成する。
【００８０】
一方、通信手段７０２が通信を行っていない場合（ステップＳ８０７、Ｎｏ）、何もせず処理を終了する。
【００８１】
次に、画面解析手段７０３が表示手段に表示させているアプリケーションプログラムの画像データに同一色が連続していないと判定した場合、（ステップＳ８０８、Ｙｅｓ）、制御手段３はファイルアクセス判定手段７０４にファイルアクセスを行っているか確認する（ステップＳ８０９）。
【００８２】
一方、画面解析手段７０３が表示手段に表示させているアプリケーションプログラムの画像データに同一色が連続していると判定した場合、（ステップＳ８０８、Ｎｏ）、何もせずに処理を終了する。
【００８３】
次に、ファイルアクセス判定手段７０４が記憶手段５にファイルアクセスを行っていない場合（ステップＳ８０９、Ｙｅｓ）、制御手段３は画像処理手段４に画面キャプチャ要求を伝える（Ｓ８１０）。
【００８４】
一方、ファイルアクセス判定手段７０４が記憶手段５にファイルアクセスを行っている場合（ステップＳ８０９、Ｎｏ）、何もせずに処理を終了する。
【００８５】
次に、画像処理手段４は画面キャプチャ要求を受け、アプリケーションプログラムの現在表示中の画面を取得する（ステップＳ８１０）。
【００８６】
このように、本実施の形態２によれば、音声出力手段７０１、通信手段７０２、画面解析手段７０３、ファイルアクセス判定手段７０４がタイトル画面が表示されている条件を判定することにより精度を高めて、アプリケーションプログラムの内容に即した画像をアプリケーションプログラム一覧に表示させることができる。
【産業上の利用可能性】
【００８７】
本発明にかかる情報処理端末は、アプリケーションプログラムの内容に即した画像をアプリケーションプログラム一覧に表示させることができ、アプリケーションプログラムを一覧表示中から選択、実行することのある携帯電話やＰＣなどに有用である。
【符号の説明】
【００８８】
１    情報処理端末
２    入力手段
３    制御手段
４    画像処理手段
５    記憶手段
６    表示制御手段
７    表示手段
３０１    デフォルトアイコン
３０２    アプリケーションのタイトル画面
３０３    生成したアイコン画像
４０１    アイコン画像を取得する前のデータテーブル
４０２    アイコン画像を取得した後のデータテーブル
６０１    アイコン画像生成後のアプリケーションプログラム一覧画面
７０１    音声出力手段
７０２    通信手段
７０３    画面解析手段
７０４    ファイルアクセス判定手段
９０１    従来のアプリケーションプログラム一覧画面
【図１】
2011022962.tif 000003
【図２】
2011022962.tif 000004
【図３】
2011022962.tif 000005
【図４】
2011022962.tif 000006
【図５】
2011022962.tif 000007
【図６】
2011022962.tif 000008
【図７】
2011022962.tif 000009
【図８】
2011022962.tif 000010
【図９】
2011022962.tif 000011